(57)【要約】  【課題】  入力を容易にすること。  【解決手段】  入力装置から入力される選択日時を収集する選択日時収集部１５と、複数図形に複数期間を対応付けるＧＩＳデータ３１に基づいて、複数図形のうちの選択日時を含む期間に対応する抽出図形から形成される地図を生成するＧＩＳエンジン１４と、複数図形に複数設備を対応付ける設備テーブル５１を記憶装置に記録する設備データベース１２と、抽出図形のうちから入力装置から入力される情報に基づいて選択図形を選択し、複数設備のうちから選択図形に対応する選択設備を選択する設備選択部１６と、複数設備を複数管理情報に対応付ける管理情報テーブル４１を記憶装置に記録する管理情報データベース１３と、複数管理情報のうちの選択設備に対応する選択管理情報を表示装置に表示する管理情報出力部１７とを備えている。  【選択図】  図１
2006338383.tif 000002
【特許請求の範囲】
【請求項１】
入力装置から入力される選択日時を収集する選択日時収集部と、
複数図形に複数期間を対応付けるＧＩＳデータに基づいて、前記複数図形のうちの前記前記選択日時を含む期間に対応する抽出図形から形成される地図を生成するＧＩＳエンジンと、
前記複数図形に複数設備を対応付ける設備テーブルを記憶装置に記録する設備データベースと、
前記抽出図形のうちから入力装置から入力される情報に基づいて選択図形を選択し、前記複数設備のうちから前記選択図形に対応する選択設備を選択する設備選択部と、
前記複数設備を複数管理情報に対応付ける管理情報テーブルを記憶装置に記録する管理情報データベースと、
前記複数管理情報のうちの前記選択設備に対応する選択管理情報を表示装置に表示する管理情報出力部
とを具備する設備管理装置。
【請求項２】
請求項１において、
前記複数管理情報のうちの前記選択図形に対応する選択管理情報を入力装置から入力される情報に基づいて更新する管理情報更新部
を更に具備する設備管理装置。
【請求項３】
請求項１または請求項２のいずれかにおいて、
入力装置から入力される検索日時を収集する検索日時収集部と、
前記複数図形のうちの前記選択設備に対応する検索図形を抽出する設備位置検索部とを更に具備し、
前記ＧＩＳエンジンは、前記複数図形のうちの前記検索日時を含む期間に対応する図形から形成されて前記検索図形がハイライトされる地図を生成する
設備管理装置。
【請求項４】
請求項１〜請求項３のいずれかにおいて、
入力装置から入力される情報に基づいて前記選択設備が移動される移動日時を収集する更新日時収集部と、
入力装置から入力される情報に基づいて前記選択設備が移動される移動先を収集する設置位置収集部と、
前記移動日時と前記移動先とに基づいて、前記ＧＩＳデータを新ＧＩＳデータに更新するＧＩＳデータ更新部とを更に具備し、
前記ＧＩＳデータは、前記複数図形に複数位置に更に対応付け、
前記地図は、前記抽出図形に対応する位置に前記抽出図形を配置し、
前記新ＧＩＳデータは、前記移動日時に終了する選択期間に前記選択図形を対応付け、前記選択図形と形状が等しい新規図形を移動先と前記移動日時から始まる期間とに対応付ける
設備管理装置。
【請求項５】
請求項４において、
前記ＧＩＳデータは、複数属性情報を前記複数図形に更に対応付け、
前記新ＧＩＳデータは、前記複数属性情報のうちの前記選択図形に対応する属性情報を前記新規図形に更に対応付ける
設備管理装置。
【請求項６】
入力装置から入力される選択日時を収集する選択日時収集部と、
複数図形に複数期間を対応付けるＧＩＳデータに基づいて、前記複数図形のうちの前記前記選択日時を含む期間に対応する抽出図形から形成される地図を生成するＧＩＳエンジンと、
前記複数図形に複数設備を対応付ける設備テーブルを記憶装置に記録する設備データベースと、
前記抽出図形のうちから入力装置から入力される情報に基づいて選択図形を選択し、前記複数設備のうちから前記選択図形に対応する選択設備を選択する設備選択部と、
前記複数設備を複数管理情報に対応付ける管理情報テーブルを記憶装置に記録する管理情報データベースと、
前記複数管理情報のうちの前記選択設備に対応する選択管理情報を表示装置に表示する管理情報出力部
とを具備する設備管理プログラム。
【請求項７】
請求項６において、
前記複数管理情報のうちの前記選択図形に対応する選択管理情報を入力装置から入力される情報に基づいて更新する管理情報更新部
を更に具備する設備管理プログラム。
【請求項８】
請求項６または請求項７のいずれかにおいて、
入力装置から入力される検索日時を収集する検索日時収集部と、
前記複数図形のうちの前記選択設備に対応する検索図形を抽出する設備位置検索部とを更に具備し、
前記ＧＩＳエンジンは、前記複数図形のうちの前記検索日時を含む期間に対応する図形から形成されて前記検索図形がハイライトされる地図を生成する
設備管理プログラム。
【請求項９】
請求項６〜請求項８のいずれかにおいて、
入力装置から入力される情報に基づいて前記選択設備が移動される移動日時を収集する更新日時収集部と、
入力装置から入力される情報に基づいて前記選択設備が移動される移動先を収集する設置位置収集部と、
前記移動日時と前記移動先とに基づいて、前記ＧＩＳデータを新ＧＩＳデータに更新するＧＩＳデータ更新部とを更に具備し、
前記ＧＩＳデータは、前記複数図形に複数位置に更に対応付け、
前記地図は、前記抽出図形に対応する位置に前記抽出図形を配置し、
前記新ＧＩＳデータは、前記移動日時に終了する選択期間に前記選択図形を対応付け、前記選択図形と形状が等しい新規図形を移動先と前記移動日時から始まる期間とに対応付ける
設備管理プログラム。
【請求項１０】
請求項９において、
前記ＧＩＳデータは、複数属性情報を前記複数図形に更に対応付け、
前記新ＧＩＳデータは、前記複数属性情報のうちの前記選択図形に対応する属性情報を前記新規図形に更に対応付ける
設備管理プログラム。
【発明の詳細な説明】
【技術分野】
【０００１】
本発明は、設備管理装置に関し、特に、複数の設備を管理するときに利用される設備管理装置に関する。
【背景技術】
【０００２】
複数の設備を管理するときに利用される設備管理装置が知られている。このような設備管理装置は、複数の設備を識別する設備ＩＤに設備情報を対応付けるテーブルを記録している。その設備情報は、その設備の仕様と点検補修履歴とを示している。ユーザは、ある設備の設備情報を閲覧または更新するときに、その設備の設備ＩＤを入力する必要がある。入力がより容易である設備管理装置が望まれている。
【０００３】
位置や空間に関する情報を持ったデータ（空間データ）を総合的に管理加工し、視覚的に表示できる高度な分析や迅速な判断を可能にするＧＩＳ技術が知られている（非特許文献１〜非特許文献５）。ＧＩＳ技術を利用する設備管理装置が望まれている。
【０００４】
【非特許文献１】日本アドバンストシステム、”情報戦略のベストパートナー日本アドバンストシステム事例紹介”、［ｏｎｌｉｎｅ］、［平成１７年４月７日検索］、インターネット＜ＵＲＬ：ｈｔｔｐ：／／ｗｗｗ．ｎａｓｂｉ．ｃｏ．ｊｐ／ｅｘａｍｐｌｅ／ｅｘａｍｐｌｅ０７．ｈｔｍ＞
【非特許文献２】ＮＴＴネオメイト、”ＮＴＴネオメイト｜総合施設管理システム｜電子地図”、［ｏｎｌｉｎｅ］、［平成１７年４月７日検索］、インターネット＜ＵＲＬ：ｈｔｔｐ：／／ｗｗｗ．ｎｔｔ−ｎｅｏ．ｃｏｍ／ｓｅｒｖｉｃｅ／ｅｘｐｌａｎｅｔ／ｃｏｍｐｌｅｘ．ｈｔｍ＞
【非特許文献３】株式会社高岳製作所、”製品−監視制御システム”、［ｏｎｌｉｎｅ］、［平成１７年４月７日検索］、インターネット＜ＵＲＬ：ｈｔｔｐ：／／ｗｗｗ．ｔａｋａｏｋａ．ｃｏ．ｊｐ／ｐｒｏｄｕｃｔ／ｄｉｓｔｒｉｂｕｔｅｄ＞
【非特許文献４】株式会社明電舎環境システム事業部営業部、”設備総合管理システム／ＡＳＰＡＣシリーズ株式会社明電舎環境システム事業部営業部”、［ｏｎｌｉｎｅ］、［平成１７年４月７日検索］、インターネット＜ＵＲＬ：ｈｔｔｐ：／／ｗｗｗ．ｓｉｓｅｔ．ｏｒ．ｊｐ／ｓｅｔｓｕｂｉ／ｆ４７０／４７０＿１＿１．ｈｔｍ＞
【非特許文献５】株式会社明電舎、”ＡＳＰＥ−ＦＭＳ”、［ｏｎｌｉｎｅ］、［平成１７年４月７日検索］、インターネット＜ＵＲＬ：ｈｔｔｐ：／／ｗｗｗ．ｍｅｉｄｅｎｓｈａ．ｃｏ．ｊｐ／ｐｒｏｄｕｃｔ／ｃｏｍｐ／ａｓｐａｃ／ｆｍｓ．ｈｔｍｌ＞
【非特許文献６】タカック・システム開発株式会社、”設備管理システム−ＣＡＤ／ＧＩＳ開発・サービス−タカック・システム開発株式会社”、［ｏｎｌｉｎｅ］、［平成１７年４月７日検索］、インターネット＜ＵＲＬ：ｈｔｔｐ：／／ｗｗｗ．ｔａｋａｃ．ｃｏ．ｊｐ／ｄｅｖｅｌｏｐ／ｇｉｓ／ｓｔｕｂｉｋａｎｒｉ．ｈｔｍｌ＞
【発明の開示】
【発明が解決しようとする課題】
【０００５】
本発明の課題は、入力をより容易にする設備管理装置を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明による設備管理装置（１）は、入力装置から入力される選択日時を収集する選択日時収集部（１５）と、複数図形に複数期間を対応付けるＧＩＳデータ（３１）に基づいて、複数図形のうちの選択日時を含む期間に対応する抽出図形から形成される地図を生成するＧＩＳエンジン（１４）と、複数図形に複数設備を対応付ける設備テーブル（５１）を記憶装置に記録する設備データベース（１２）と、抽出図形のうちから入力装置から入力される情報に基づいて選択図形を選択し、複数設備のうちから選択図形に対応する選択設備を選択する設備選択部（１６）と、複数設備を複数管理情報に対応付ける管理情報テーブル（４１）を記憶装置に記録する管理情報データベース（１３）と、複数管理情報のうちの選択設備に対応する選択管理情報を表示装置に表示する管理情報出力部（１７）とを備えていることが好ましい。
【０００８】
本発明による設備管理装置（１）は、複数管理情報のうちの選択図形に対応する選択管理情報を入力装置から入力される情報に基づいて更新する管理情報更新部（１８）をさらに備えていることが好ましい。
【０００９】
本発明による設備管理装置（１）は、入力装置から入力される検索日時を収集する検索日時収集部（１９）と、複数図形のうちの選択設備に対応する検索図形を抽出する設備位置検索部とをさらに備えていることが好ましい。このとき、ＧＩＳエンジン（１４）は、複数図形のうちの検索日時を含む期間に対応する図形から形成されて検索図形がハイライトされる地図を生成する。
【００１０】
本発明による設備管理装置（１）は、入力装置から入力される情報に基づいて選択設備が移動される移動日時を収集する更新日時収集部（２１）と、入力装置から入力される情報に基づいて選択設備が移動される移動先を収集する設置位置収集部（２２）と、移動日時と移動先とに基づいて、ＧＩＳデータ（３１）を新ＧＩＳデータに更新するＧＩＳデータ更新部（２３）とをさらに備えていることが好ましい。このとき、ＧＩＳデータ（３１）は、複数図形に複数位置にさらに対応付けている。地図は、抽出図形に対応する位置に抽出図形を配置する。新ＧＩＳデータは、移動日時に終了する選択期間に選択図形を対応付け、選択図形と形状が等しい新規図形を移動先と移動日時から始まる期間とに対応付ける。
【００１１】
ＧＩＳデータ（３１）は、複数属性情報を複数図形にさらに対応付けていることが好ましい。新ＧＩＳデータは、複数属性情報のうちの選択図形に対応する属性情報を新規図形にさらに対応付ける。
【００１２】
本発明による設備管理プログラムは、コンピュータである設備管理装置（１）により実行されるコンピュータプログラムであり、そのコンピュータプログラムの部分として、入力装置から入力される選択日時を収集する選択日時収集部（１５）と、複数図形に複数期間を対応付けるＧＩＳデータ（３１）に基づいて、複数図形のうちの選択日時を含む期間に対応する抽出図形から形成される地図を生成するＧＩＳエンジン（１４）と、複数図形に複数設備を対応付ける設備テーブル（５１）を記憶装置に記録する設備データベース（１２）と、抽出図形のうちから入力装置から入力される情報に基づいて選択図形を選択し、複数設備のうちから選択図形に対応する選択設備を選択する設備選択部（１６）と、複数設備を複数管理情報に対応付ける管理情報テーブル（４１）を記憶装置に記録する管理情報データベース（１３）と、複数管理情報のうちの選択設備に対応する選択管理情報を表示装置に表示する管理情報出力部（１７）とを備えていることが好ましい。
【００１３】
本発明による設備管理プログラムは、複数管理情報のうちの選択図形に対応する選択管理情報を入力装置から入力される情報に基づいて更新する管理情報更新部（１８）をさらに備えていることが好ましい。
【００１４】
本発明による設備管理プログラムは、入力装置から入力される検索日時を収集する検索日時収集部（１９）と、複数図形のうちの選択設備に対応する検索図形を抽出する設備位置検索部とをさらに備えていることが好ましい。このとき、ＧＩＳエンジン（１４）は、複数図形のうちの検索日時を含む期間に対応する図形から形成されて検索図形がハイライトされる地図を生成する。
【００１５】
本発明による設備管理プログラムは、入力装置から入力される情報に基づいて選択設備が移動される移動日時を収集する更新日時収集部（２１）と、入力装置から入力される情報に基づいて選択設備が移動される移動先を収集する設置位置収集部（２２）と、移動日時と移動先とに基づいて、ＧＩＳデータ（３１）を新ＧＩＳデータに更新するＧＩＳデータ更新部（２３）とをさらに備えていることが好ましい。このとき、ＧＩＳデータ（３１）は、複数図形に複数位置にさらに対応付けている。地図は、抽出図形に対応する位置に抽出図形を配置する。新ＧＩＳデータは、移動日時に終了する選択期間に選択図形を対応付け、選択図形と形状が等しい新規図形を移動先と移動日時から始まる期間とに対応付ける。
【００１６】
ＧＩＳデータ（３１）は、複数属性情報を複数図形にさらに対応付けていることが好ましい。新ＧＩＳデータは、複数属性情報のうちの選択図形に対応する属性情報を新規図形にさらに対応付ける。
【発明の効果】
【００１７】
本発明による設備管理装置は、入力ミスを低減し、入力をより容易にすることができる。
【発明を実施するための最良の形態】
【００１８】
図面を参照して、本発明による設備管理装置の実施の形態を記載する。その設備管理装置１は、コンピュータであり、図１に示されているように、複数のコンピュータプログラムがインストールされている。すなわち、設備管理装置１は、図示されていないＣＰＵと記憶装置と入力装置とディスプレイとを備えている。そのＣＰＵは、設備管理装置１にインストールされるコンピュータプログラムを実行して、その記憶装置と入力装置とディスプレイとを制御する。その記憶装置は、ＲＯＭまたはＲＡＭであり、そのコンピュータプログラムを記録し、そのＣＰＵにより生成される情報を一時的に記録する。
【００１９】
その入力装置は、キーボードとポインティングデバイスとを備えている。そのキーボードは、ユーザに操作されることにより文字列を生成し、その文字列をそのＣＰＵに出力する。そのポインティングデバイスは、センサとボタンとを備え、ユーザに操作されることにより、その表示装置に表示されるポインタを移動させ、ユーザによりそのボタンが押下されたかどうかをそのＣＰＵに出力する。そのポインティングデバイスとしては、マウスが例示される。そのディスプレイは、表示面を有し、そのＣＰＵにより生成される画像をその表示面に表示する。
【００２０】
設備管理装置１は、コンピュータプログラムであるＧＩＳ用データベース１１と設備データベース１２と管理情報データベース１３とＧＩＳエンジン１４と選択日時収集部１５と設備選択部１６と管理情報出力部１７と管理情報更新部１８と検索日時収集部１９と設備位置検索部２０と更新日時収集部２１と設備位置収集部２２とＧＩＳデータ更新部２３とがインストールされている。
【００２１】
ＧＩＳ用データベース１１は、設備管理装置１による管理対象であるプラントが備える複数の設備の配置を示す地図を生成するときに利用されるＧＩＳデータを記憶装置に記録する。設備データベース１２は、その地図に記載される複数の図形とその複数の設備とを対応付ける設備テーブルを記憶装置に記録する。管理情報データベース１３は、その設備を管理するときに利用される情報を示す管理情報テーブルを記憶装置に記録する。
【００２２】
ＧＩＳエンジン１４は、入力される日時とＧＩＳ用データベース１１により記録されるＧＩＳデータとに基づいて地図を生成する。その地図は、そのプラントを縮尺して平面上に表現された画像であり、その複数の設備がその入力される日時に配置される位置を表現している。ＧＩＳエンジン１４は、さらに、その地図に記載される複数の図形のうちのいずれかが選択されたときに、その図形に対応する図形ＩＤを出力する。ＧＩＳエンジン１４は、さらに、図形ＩＤが入力されたときに、その図形ＩＤにより識別される図形が周囲の図形よりも目立つようにハイライトで記載される地図を生成する。ＧＩＳエンジン１４は、さらに、その地図のうちの１点が選択されたときに、その１点を示す位置を出力する。このようなＧＩＳエンジン１４としては、株式会社Ｊ−時空間研究所製「Ｊ−ＳＴＩＭＳ」が例示される。
【００２３】
選択日時収集部１５は、ユーザにより入力装置が操作されて日時が生成されたときに、その日時をその入力装置から収集する。
【００２４】
設備選択部１６は、選択日時収集部１５により収集された日時をＧＩＳエンジン１４に入力して、ＧＩＳエンジン１４により生成される地図を表示装置に表示する。設備選択部１６は、さらに、ユーザにより入力装置が操作に基づいてその地図に記載されている複数の図形から１つの図形を選択し、設備データベース１２により記録される設備テーブルを参照して、その選択された図形に対応する設備を選択する。
【００２５】
管理情報出力部１７は、管理情報データベース１３により記録される管理情報テーブルを参照して、設備選択部１６により選択された設備の管理情報を表示装置に表示する。
【００２６】
管理情報更新部１８は、設備選択部１６により選択された設備の管理情報を、ユーザにより入力装置から入力された情報に基づいて更新し、その管理情報テーブルを更新する。
【００２７】
検索日時収集部１９は、ユーザにより入力装置が操作されて日時が生成されたときに、その日時を入力装置から収集する。
【００２８】
設備位置検索部２０は、設備選択部１６により選択された設備が検索日時収集部１９により収集された日時に配置される位置を検索し、その設備が示す図形をハイライトで記載する地図を表示する。すなわち、設備位置検索部２０は、検索日時収集部１９により収集された日時をＧＩＳエンジン１４に入力して、ＧＩＳエンジン１４により生成される地図を表示装置に表示する。設備位置検索部２０は、さらに、設備選択部１６により選択された設備を示す図形の図形ＩＤを検索し、その図形ＩＤをＧＩＳエンジン１４に入力して、その図形がハイライトで記載される地図を表示する。
【００２９】
更新日時収集部２１は、ユーザにより入力装置が操作されて日時が生成されたときに、その日時を入力装置から収集する。その更新日時は、設備が撤去されたときに設備が撤去された撤去日時を示し、設備が新設されたときに設備が設置された新設日時を示し、設備が移動されたときに設備が設置された移動日時を示している。その移動日時は、設備が撤去された移動開始日時と設備が設置された移動終了日時を示している。
【００３０】
設備位置収集部２２は、ユーザにより入力装置が操作されて位置が生成されたときに、その位置を入力装置から収集する。
【００３１】
ＧＩＳデータ更新部２３は、設備選択部１６により選択された設備を示す図形に関する情報を更新し、ＧＩＳデータを更新する。
【００３２】
図２は、ＧＩＳ用データベース１１により記憶装置に記録されるＧＩＳデータを示している。そのＧＩＳデータ３１は、図形ＩＤ３２に形状３３と位置３４と期間３５と属性情報３６とを対応付けている。図形ＩＤ３２は、ＧＩＳエンジン１４により生成される地図に記載される図形を識別している。形状３３は、図形ＩＤ３２により識別される図形の形状を示し、その図形が示す設備の形状を示している。位置３４は、図形ＩＤ３２により識別される図形が配置される位置と向きとを示し、その図形が示す設備が配置される位置と向きとを示している。期間３５は、図形ＩＤ３２により識別される図形が地図に記載される条件を示し、その図形が示す設備が位置３４により示される位置に配置される期間を示している。その期間は、開始日時と終了日時とから形成されている。その終了日時は、その設備が位置３４により示される位置に現在配置されているときに、無限の将来を示している。属性情報３６は、図形ＩＤ３２により識別される図形に関する情報を示している。たとえば、属性情報３６は、図形ＩＤ３２により識別される図形とともに地図に記載される文字列、図形ＩＤ３２により識別される図形が地図に記載されるときの色を示している。
【００３３】
このとき、ＧＩＳエンジン１４は、ＧＩＳデータ３１を参照して、期間３５のうちから入力された日時を含む期間を抽出し、図形ＩＤ３２のうちからその抽出された期間に対応する図形ＩＤを抽出する。ＧＩＳエンジン１４は、さらに、その抽出された図形ＩＤに対応する図形のみを用いて、地図を作成する。ＧＩＳエンジン１４は、さらに、その地図に記載される複数の図形のうちのいずれかが選択されたときに、その図形に対応する図形ＩＤを出力する。ＧＩＳエンジン１４は、さらに、図形ＩＤが入力されたときに、その図形ＩＤにより識別される図形が周囲の図形よりも目立つようにハイライトで記載される地図を生成する。
【００３４】
図３は、管理情報データベース１３により記憶装置に記録される管理情報テーブルを示している。その管理情報テーブル４１は、設備ＩＤ４２に設備情報を対応付けている。その設備情報は、仕様４３と点検補修履歴４４とリース期限４５とから形成されている。設備ＩＤ４２は、設備管理装置１による管理対象であるプラントが備える複数の設備を識別し、その設備の管理番号と名称とを示している。仕様４３は、設備ＩＤ４２より識別される設備の設備区分、目的、付属品、購入日、購入先、購入価格、原価部門を示している。点検補修履歴４４は、設備ＩＤ４２より識別される設備を点検した点検日時、点検結果、点検担当者、点検予定日、補修した補修日時、補修内容、補修担当者を示している。リース期限４５は、設備ＩＤ４２より識別される設備がリース品であるときに、その設備のリースの期限を示している。
【００３５】
図４は、設備データベース１２により記憶装置に記録される設備テーブルを示している。その設備テーブル５１は、設備ＩＤ５２に図形ＩＤ５３を対応付けている。設備ＩＤ５２は、その設備を識別し、その設備の管理番号と名称とを示している。設備ＩＤ５２は、管理情報テーブル４１の設備ＩＤ４２に記載される情報のいずれかに一致している。図形ＩＤ５３は、ＧＩＳエンジン１４により生成される地図に記載される図形を識別し、ＧＩＳデータ３１の図形ＩＤ３２のうちの設備ＩＤ５２により識別される設備を示す図形を示す図形ＩＤを示している。このとき、図形ＩＤ５３は、設備ＩＤ５２により識別される設備がプラント内で移動されたことがあるときに、図形ＩＤ３２のうちの複数の図形ＩＤを示している。
【００３６】
このとき、設備選択部１６は、ＧＩＳエンジン１４により作成された地図からユーザにより選択された図形の図形ＩＤをＧＩＳエンジン１４から収集し、設備テーブル５１を参照して、設備ＩＤ５２からその図形ＩＤに対応する設備ＩＤを抽出する。管理情報出力部１７は、管理情報テーブル４１を参照して、設備選択部１６により抽出された設備ＩＤに対応する設備情報を表示装置に表示する。管理情報更新部１８は、管理情報テーブル４１を参照して、設備情報を入力するための入力欄を表示装置に表示し、その入力欄に入力された設備情報が設備選択部１６により抽出された設備ＩＤに対応するように管理情報テーブル４１を更新する。
【００３７】
設備位置検索部２０は、設備テーブル５１を参照して、図形ＩＤ５３のうちから設備選択部１６により抽出された設備ＩＤに対応する図形ＩＤを抽出する。設備位置検索部２０は、検索日時収集部１９により収集された日時をＧＩＳエンジン１４に入力して生成される地図を表示装置に表示する。設備位置検索部２０は、その抽出された図形ＩＤをＧＩＳエンジン１４に入力して、その図形ＩＤが示す図形がハイライトで記載される地図を表示する。
【００３８】
ＧＩＳデータ更新部２３は、更新日時収集部２１により収集された更新日時をＧＩＳエンジン１４に入力して生成される地図を表示装置に表示する。ＧＩＳデータ更新部２３は、その地図からユーザにより選択された図形の図形ＩＤをＧＩＳエンジン１４から収集し、ユーザにより入力装置から入力された情報に基づいて、その収集された図形ＩＤに対応する位置３４と期間３５と属性情報３６とを更新する。ＧＩＳデータ更新部２３は、または、その地図からユーザにより選択された位置をＧＩＳエンジン１４から収集し、ユーザにより入力装置から入力された情報に基づいて、その収集された位置に図形が記載されるようにＧＩＳデータ３１を更新する。
【００３９】
たとえば、ＧＩＳデータ更新部２３は、設備が撤去されたときに、その収集された図形ＩＤに対応する期間３５の終了日時を更新日時収集部２１により収集された撤去日時に更新する。
【００４０】
たとえば、ＧＩＳデータ更新部２３は、設備が移動されたときに、その収集された図形ＩＤに対応する期間の終了日時を更新日時収集部２１により収集された移動開始日時に更新する。ＧＩＳデータ更新部２３は、設備が移動されたときに、さらに、ＧＩＳデータ３１に図形ＩＤを新規に追加し、その収集された図形ＩＤに対応する形状と期間と属性情報とをその追加された図形ＩＤに対応付けるようにＧＩＳデータ３１を更新する。ＧＩＳデータ更新部２３は、設備が移動されたときに、さらに、その追加された図形ＩＤに対応する期間の開始日時を更新日時収集部２１により収集された移動終了日時に対応するようにＧＩＳデータ３１を更新する。ＧＩＳデータ更新部２３は、設備が移動されたときに、さらに、その追加された図形ＩＤに対応する位置をユーザにより入力装置から入力された位置に対応付けるようにＧＩＳデータ３１を更新する。ＧＩＳデータ更新部２３は、設備が移動されたときに、さらに、その追加された図形ＩＤに対応する期間の開始日時を更新日時収集部２１により収集された移動終了日時に対応するようにＧＩＳデータ３１を更新する。ＧＩＳデータ更新部２３は、設備が移動されたときに、さらに、その追加された図形ＩＤに対応する位置をユーザにより入力装置から入力された位置に対応付けるようにＧＩＳデータ３１を更新する。
【００４１】
たとえば、ＧＩＳデータ更新部２３は、設備が新設されたときに、ＧＩＳデータ３１に図形ＩＤを新規に追加し、ユーザにより入力装置から入力された図形の形状と位置と期間と属性情報とをその追加された図形ＩＤに対応付けるようにＧＩＳデータ３１を更新する。その位置は、表示された地図のうちからユーザにより選択された１点の位置を示し、ＧＩＳエンジン１４から収集される。その期間は、更新日時収集部２１により収集される新設日時を示している。
【００４２】
図５は、ＧＩＳエンジン１４により生成される地図を示している。その地図６１は、複数の図形６２−１〜６２−ｎ（ｎ＝２，３，４，…）を備えている。複数の図形６２−１〜６２−ｎは、ＧＩＳデータ３１の期間３５のうちからＧＩＳエンジン１４に入力された日時を含む期間に対応している。地図６１は、ポインタ６０とともに表示装置に表示される。地図６１は、さらに、図示されていない拡大ボタンと縮小ボタンと管理情報出力ボタンと管理情報更新ボタンと設備位置検索ボタンと設備撤去ボタンと設備移動ボタンと設備新設ボタンとともに表示装置に表示される。
【００４３】
ＧＩＳエンジン１４は、ポインティングデバイスにより拡大ボタンがポインタ６０に重ねて表示されているときにボタンが押下されると、すなわち、拡大ボタンがクリックされると、地図６１のうちの次にクリックされた位置の周辺を拡大して表示する地図を生成する。たとえば、ＧＩＳエンジン１４は、拡大ボタンがクリックされた後に、図形６２−ｉ（ｉ＝１，２，３，…，ｎ）がクリックされたときに、図形６２−ｉが示す設備（第三ドック）をより詳細に示す地図を生成する。ＧＩＳエンジン１４は、縮小ボタンがクリックされると、地図６１のうちの次にクリックされた位置の周辺を縮小して表示する地図を生成する。
【００４４】
図６は、ＧＩＳエンジン１４により生成される他の地図を示している。その地図７１は、複数の図形７２−１〜７２−ｍ（ｍ＝２，３，４，…）を備えている。複数の図形７２−１〜７２−ｍは、ＧＩＳデータ３１の期間３５のうちからＧＩＳエンジン１４に入力された日時を含む期間に対応している。地図７１は、ポインタ６０とともに表示装置に表示される。ＧＩＳエンジン１４は、複数の図形７２−１〜７２−ｍのうちの１つの図形７２−ｊ（ｊ＝１，２，３，…，ｍ）が選択されたときに、図形７２−ｊを識別する図形ＩＤを出力する。
【００４５】
図７は、ＧＩＳエンジン１４により生成されるさらに他の地図を示している。その地図８１は、複数の図形８２−１〜８２−ｍ（ｍ＝２，３，４，…）を備えている。複数の図形８２−１〜８２−ｍは、ＧＩＳデータ３１の期間３５のうちからＧＩＳエンジン１４に入力された日時を含む期間に対応している。地図８１は、ポインタ６０とともに表示装置に表示される。ＧＩＳエンジン１４は、ポインティングデバイスにより複数の図形８２−１〜８２−ｍのうちの１つの図形８２−ｊがポインタ６０に重ねて表示されているときにボタンが押下されて、ポインタ６０が移動した後にボタンが解放されたときに、すなわち、図形８２−ｊがドラッグアンドドロップされたときに、図形７２−ｊを識別する図形ＩＤとボタンが解放されたときのポインタ６０の位置とを出力する。
【００４６】
設備管理装置１により実行される動作は、設備の管理情報を表示する動作と設備の管理情報を更新する動作と設備の位置を検索する動作とＧＩＳデータを更新する動作とを備えている。
【００４７】
図８は、設備の管理情報を表示する動作を示している。その動作は、管理情報出力ボタンがクリックされたときに、実行される。設備管理装置１は、管理情報出力ボタンがクリックされると、日時を入力するための入力欄を備えるダイアログを表示して、ユーザに日時を入力するように促す（ステップＳ１）。設備管理装置１は、日時が入力されると、設備管理装置１は、その日時をＧＩＳエンジン１４に入力して、ＧＩＳエンジン１４により生成される地図を表示装置に表示する（ステップＳ２）。
【００４８】
設備管理装置１は、その地図に記載されている複数の図形のうちの１つの図形がユーザによりクリックされたときに、そのクリックされた図形を識別する図形ＩＤをＧＩＳエンジン１４から収集する（ステップＳ３）。設備管理装置１は、設備テーブル５１を参照して、その収集された図形ＩＤに対応する設備ＩＤを抽出する（ステップＳ４）。設備管理装置１は、管理情報テーブル４１を参照して、その収集された設備ＩＤに対応する管理情報を抽出し、その管理情報を表示装置に表示する（ステップＳ５）。
【００４９】
図９は、設備の管理情報を更新する動作を示している。その動作は、管理情報更新ボタンがクリックされたときに、実行される。設備管理装置１は、管理情報更新ボタンがクリックされると、日時を入力するための入力欄を備えるダイアログを表示して、ユーザに日時を入力するように促す（ステップＳ１１）。設備管理装置１は、日時が入力されると、設備管理装置１は、その日時をＧＩＳエンジン１４に入力して、ＧＩＳエンジン１４により生成される地図を表示装置に表示する（ステップＳ１２）。
【００５０】
設備管理装置１は、その地図に記載されている複数の図形のうちの１つの図形がユーザによりクリックされたときに、そのクリックされた図形を識別する図形ＩＤをＧＩＳエンジン１４から収集する（ステップＳ１３）。設備管理装置１は、設備テーブル５１を参照して、その収集された図形ＩＤに対応する設備ＩＤを抽出する（ステップＳ１４）。
【００５１】
設備管理装置１は、次いで、管理情報を入力するための入力欄を備えるダイアログを表示して、ユーザに日時を入力するように促す（ステップＳ１５）。設備管理装置１は、次いで、管理情報が入力されると、その収集された設備ＩＤにその管理情報が対応するように管理情報テーブル４１を更新する（ステップＳ１６）。
【００５２】
このような動作によれば、ユーザは、ある設備の設備情報を閲覧または更新するときに、地図に示されている図形をクリックすることにより設備を選択し、その設備の設備ＩＤを入力する必要がない。このとき、設備管理装置１は、入力ミスを低減し、入力をより容易にすることができる。
【００５３】
設備の位置を検索する動作は、設備位置検索ボタンがクリックされたときに、実行される。設備管理装置１は、設備位置検索ボタンがクリックされると、日時を入力するための入力欄を備えるダイアログを表示して、ユーザに日時を入力するように促す。設備管理装置１は、日時が入力されると、設備管理装置１は、その日時をＧＩＳエンジン１４に入力して、ＧＩＳエンジン１４により生成される地図を表示装置に表示する。設備管理装置１は、その地図に記載されている複数の図形のうちの１つの図形がユーザによりクリックされたときに、そのクリックされた図形を識別する図形ＩＤをＧＩＳエンジン１４から収集する。設備管理装置１は、設備テーブル５１を参照して、その収集された図形ＩＤに対応する設備ＩＤを抽出する。設備管理装置１は、設備テーブル５１を参照して、その抽出された設備ＩＤに対応する図形ＩＤを抽出する。
【００５４】
設備管理装置１は、次いで、日時を入力するための入力欄を備えるダイアログを表示して、ユーザに日時を入力するように促す。設備管理装置１は、日時が入力されると、その抽出された図形ＩＤとその日時とをＧＩＳエンジン１４に入力して、ＧＩＳエンジン１４により生成される地図を表示装置に表示する。その地図は、その図形ＩＤが示す図形がハイライトで記載されている。
【００５５】
このような動作によれば、ユーザは、設備の移動を視覚的に確認することができ、複数の設備をより容易に管理することができる。
【００５６】
ＧＩＳデータを更新する動作は、設備が撤去されたときの動作と設備が移動されたときの動作と設備が新設されたときの動作とを備えている。
【００５７】
図１０は、設備が撤去されたときの動作を示している。その動作は、設備撤去ボタンがクリックされたときに、実行される。設備管理装置１は、設備撤去ボタンがクリックされると、日時を入力するための入力欄を備えるダイアログを表示して、ユーザに日時を入力するように促す（ステップＳ２１）。設備管理装置１は、日時が入力されると、設備管理装置１は、その日時をＧＩＳエンジン１４に入力して、ＧＩＳエンジン１４により生成される地図を表示装置に表示する（ステップＳ２２）。
【００５８】
設備管理装置１は、その地図に記載されている複数の図形のうちの１つの図形がユーザによりクリックされたときに、そのクリックされた図形を識別する図形ＩＤをＧＩＳエンジン１４から収集する（ステップＳ２３）。設備管理装置１は、その収集された図形ＩＤに対応する期間の終了日時がその収集された日時になるようにＧＩＳデータ３１を更新する（ステップＳ２４）。
【００５９】
図１１は、設備が移動されたときの動作を示している。その動作は、設備移動ボタンがクリックされたときに、実行される。設備管理装置１は、設備移動ボタンがクリックされると、移動開始日時と移動終了日時とを入力するための入力欄を備えるダイアログを表示して、ユーザに日時を入力するように促す（ステップＳ３１）。設備管理装置１は、日時が入力されると、設備管理装置１は、その日時をＧＩＳエンジン１４に入力して、ＧＩＳエンジン１４により生成される地図を表示装置に表示する（ステップＳ３２）。設備管理装置１は、その地図に記載されている複数の図形のうちの１つの図形がユーザによりドラッグアンドドロップされたときに、その図形を識別する図形ＩＤをＧＩＳエンジン１４から収集し（ステップＳ３３）、そのドロップされた位置をＧＩＳエンジン１４から収集する（ステップＳ３４）。設備管理装置１は、さらに、その図形を地図に配置する向きを入力するための入力欄を備えるダイアログを表示して、ユーザに向きを入力するように促す。
【００６０】
設備管理装置１は、その収集された図形ＩＤに対応する期間の終了日時がその移動開始日時になるようにＧＩＳデータ３１を更新する。設備管理装置１は、さらに、ＧＩＳデータ３１に図形ＩＤを新規に追加し、その追加された図形ＩＤに新規の形状と位置と期間と属性情報とを対応付けるようにＧＩＳデータ３１を更新する（ステップＳ３５）。その追加された図形ＩＤに対応する形状は、その収集された図形ＩＤに対応する形状に一致している。その追加された図形ＩＤに対応する位置は、そのドロップされた位置とダイアログに入力された向きとを示している。その追加された図形ＩＤに対応する期間は、開始日時がその移動終了日時に一致している。その追加された図形ＩＤに対応する属性情報は、その収集された図形ＩＤに対応する属性情報に一致している。
【００６１】
設備管理装置１は、設備テーブル５１を参照して、その収集された図形ＩＤに対応する設備ＩＤを抽出する。設備管理装置１は、その抽出された設備ＩＤに対応する図形ＩＤがステップＳ３５で追加された図形ＩＤを含むように設備テーブル５１を更新する（ステップＳ３６）。
【００６２】
設備が新設されたときの動作は、設備新設ボタンがクリックされたときに、実行される。設備管理装置１は、設備新設ボタンがクリックされると、新設日時を入力するための入力欄を備えるダイアログを表示して、ユーザに新設日時を入力するように促す。設備管理装置１は、新設日時が入力されると、設備管理装置１は、その新設日時をＧＩＳエンジン１４に入力して、ＧＩＳエンジン１４により生成される地図を表示装置に表示する。設備管理装置１は、その地図のうちの１点がユーザによりクリックされたときに、その１点に対応する位置をＧＩＳエンジン１４から収集する。
【００６３】
設備管理装置１は、形状と属性情報と管理情報とを入力するための入力欄を備えるダイアログを表示して、ユーザに日時を入力するように促す。設備管理装置１は、ＧＩＳデータ３１に図形ＩＤを新規に追加し、その追加された図形ＩＤに新規の形状と位置と期間と属性情報とを対応付けるようにＧＩＳデータ３１を更新する。その追加された図形ＩＤに対応する形状は、そのダイアログに入力された形状に一致している。その追加された図形ＩＤに対応する属性情報は、そのダイアログに入力された属性情報に一致している。その追加された図形ＩＤに対応する位置は、そのクリックされた位置に一致している。その追加された図形ＩＤに対応する期間は、開始日時がそのダイアログに入力された新設日時に一致している。
【００６４】
設備管理装置１は、設備テーブル５１に設備ＩＤを新規に追加し、その追加された設備ＩＤにＧＩＳデータ３１に新規に追加された図形ＩＤが対応するように設備テーブル５１を更新する。設備管理装置１は、さらに、管理情報テーブル４１にその設備ＩＤを新規に追加し、その追加された設備ＩＤにそのダイアログにより入力された管理情報が対応するように管理情報テーブル４１を更新する。
【００６５】
このようなＧＩＳデータを更新する動作によれば、ユーザは、ＧＩＳデータを容易に作成することができ、複数の設備をより容易に管理することができる。
【図面の簡単な説明】
【００６６】
【図１】図１は、本発明による設備管理装置の実施の形態を示すブロック図である。
【図２】図２は、ＧＩＳデータを示す図である。
【図３】図３は、管理情報テーブルを示す図である。
【図４】図４は、設備テーブルを示す図である。
【図５】図５は、ＧＩＳにより生成される地図を示す図である。
【図６】図６は、ＧＩＳにより生成される地図を示す図である。
【図７】図７は、ＧＩＳにより生成される地図を示す図である。
【図８】図８は、設備の管理情報を表示する動作を示すフローチャートである。
【図９】図９は、設備の管理情報を更新する動作を示すフローチャートである。
【図１０】図１０は、設備が撤去されたときの動作を示すフローチャートである。
【図１１】図１１は、設備が移動されたときの動作を示すフローチャートである。
【符号の説明】
【００６７】
１    ：設備管理装置
１１  ：ＧＩＳ用データベース
１２  ：設備データベース
１３  ：管理情報データベース
１４  ：ＧＩＳエンジン
１５  ：選択日時収集部
１６  ：設備選択部
１７  ：管理情報出力部
１８  ：管理情報更新部
１９  ：検索日時収集部
２０  ：設備位置検索部
２１  ：更新日時収集部
２２  ：設備位置収集部
２３  ：ＧＩＳデータ更新部
３１  ：ＧＩＳデータ
３２  ：図形ＩＤ
３３  ：形状
３４  ：位置
３５  ：期間
３６  ：属性情報
４１  ：管理情報テーブル
４２  ：設備ＩＤ
４３  ：仕様
４４  ：点検補修履歴
４５  ：リース期限
５１  ：設備テーブル
５２  ：設備ＩＤ
３３  ：図形ＩＤ
６０  ：ポインタ
６２−１〜６２−ｎ：複数の図形
７２−１〜７２−ｍ：複数の図形
８２−１〜８２−ｍ：複数の図形
【図１】
2006338383.tif 000003
【図２】
2006338383.tif 000004
【図３】
2006338383.tif 000005
【図４】
2006338383.tif 000006
【図５】
2006338383.tif 000007
【図６】
2006338383.tif 000008
【図７】
2006338383.tif 000009
【図８】
2006338383.tif 000010
【図９】
2006338383.tif 000011
【図１０】
2006338383.tif 000012
【図１１】
2006338383.tif 000013